(57)【特許請求の範囲】
【請求項１】
複数の住戸に各々設けられる住戸機と、集合玄関機及び管理人室機の少なくとも一方とを有する集合住宅用インターホン装置において、
前記住戸機は、住戸増設機を接続可能に構成され、
他の装置からの呼出がない状態で送受話器が取り上げられ、他の操作が行われることなく取り上げ状態が所定時間継続したとき、住戸増設機を呼び出すための呼出信号を生成する増設機呼出手段を有し、前記住戸増設機は、他の装置からの呼び出しがない状態で送受話器が取り上げられ、他の操作が行われることなく取り上げ状態が所定時間継続したとき、住戸機を呼び出す住戸機呼出手段を有することを特徴とする集合住宅用インターホン装置。
【請求項２】
前記住戸増設機は管理人室呼出手段を有することを特徴とする請求項１記載の集合住宅用インターホン装置。
【発明の詳細な説明】
【０００１】
【発明の属する技術分野】
本発明は集合住宅等に設けられる集合住宅用インターホン装置に係り、特に、１つの住戸に住戸機以外に１又は複数の住戸増設機が備えられている場合に、住戸機から住戸増設機を、また住戸増設機から住戸機を、呼出操作をすることなく呼び出すことができる集合住宅用インターホン装置に関するものである。
【０００２】
【従来の技術】
集合住宅用のインターホン装置は、集合玄関の集合玄関機（ロビーインターホン）と複数の住戸に各々設けられた住戸機（住戸インターホン）、管理人室機（管理人インターホン）と複数の住戸に各々設けられた住戸機、あるいは管理人室機と集合玄関機と複数の住戸に各々設けられた住戸機を有するものである。また、住戸によっては住戸機以外に１または複数の住戸増設機（増設インターホン）を有しており、その場合、該住戸増設機は住戸機に接続されている。
そして、住戸機は、集合玄関機、自住戸の玄関ドアの脇に設けたドアホン、管理人室機、住戸増設機からの呼び出しによってそれぞれ通話するようになっており、更に管理人室機、住戸増設機に対しては住戸機から呼び出しも行えるようになっている。
【０００３】
【発明が解決しようとする課題】
しかしながら、上記従来の集合住宅用インターホン装置では管理人室機への呼出なのか住戸増設機への呼出なのかを区別するために、住戸機に管理人室機の呼出スイッチと、住戸増設機の呼出スイッチを設けなければならなかった。そして、管理人室機を呼び出すためには管理人スイッチを、住戸増設機を呼び出すには室内（増設機）呼出スイッチを、それぞれ操作しなければならずならず面倒であるという問題点があった。
【０００４】
本発明は上記の点に鑑みてなされたものであり、住戸機から住戸増設機を、また住戸増設機から住戸機を呼び出す際に、呼出操作を行わなくとも通話先を呼び出すことができる集合住宅用インターホン装置を提供することを目的とする。
【０００５】
【課題を解決するための手段】
本発明に係る集合住宅用インターホン装置は、複数の住戸に各々設けられる住戸機と、集合玄関機及び管理人室機の少なくとも一方とを有する集合住宅用インターホン装置において、住戸機は、住戸増設機を接続可能に構成され、他の装置からの呼出がない状態で送受話器が取り上げられ、他の操作が行われることなく取り上げ状態が所定時間継続したとき、住戸増設機を呼び出すための呼出信号を生成する増設機呼出手段を有し、前記住戸増設機は、他の装置からの呼び出しがない状態で送受話器が取り上げられ、他の操作が行われることなく取り上げ状態が所定時間継続したとき、住戸機を呼び出す住戸機呼出手段を有するものである。
【０００６】
また、本発明に係る集合住宅用インターホン装置において、住戸増設機は管理人室呼出手段を有するものである。
【０００９】
【発明の実施の形態】
図１は本発明の一実施の形態に係る防犯設備及びインターホン設備の系統図であり、図２は図１の系統図において、各住戸に設けられるインターホン機能を備えた住戸機にさらに防犯機能を備えてなる住宅情報盤（以下、「住情盤」と略す）の正面概略図である。図３は本発明の一実施の形態の処理の流れを示すフローチャート、図４は図３のハンドセット取り上げ処理の流れを示すフローチャートである。
図１において、ＴＣは通話制御装置、ＶＣは映像制御装置、ＥＰ１〜ＥＰｋは、マンションなどの集合住宅の集合玄関に設けられたロビーインターホン（集合玄関機）、ＳＭ１、ＳＭ２は、集合住宅の管理室及び管理人住戸に設けられた管理人インターホン（管理人室機）、ＳＭＰは通話制御装置ＴＣと管理人インターホンＳＭ１とを１つのケースに収容した管理人親機、Ｊ１〜Ｊｎは集合住宅の各住戸に設けられたインターホン機能を備えた住戸機に更に防犯機能を備えた住情盤である。
また、Ｌ１１〜Ｌ１３は制御線、Ｌ２１〜Ｌ２３は第１通話線、Ｌ３１〜Ｌ３３は第２通話線、Ｌ４１〜Ｌ４３は第１映像線、Ｌ５１〜Ｌ５３は第２映像線である。
【００１０】
また、図１でＤＰ１〜ＤＰｎは各住戸の玄関の外に設けられ、その住戸の住情盤Ｊ１〜Ｊｎに接続されたドアホン、ＪＢ２は住情盤Ｊ２が設けられた住戸内に設けられ、住情盤Ｊ２に接続された住戸増設機に相当する増設インターホン（以下、増設機と記す）、ＳＥ１は監視線ＬＳ２によって住情盤Ｊ１からＪｎに接続された各住戸の玄関の防犯センサ、ＳＥ２〜ＳＥｎは監視線ＬＳ２によって住情盤Ｊ１〜Ｊｎに接続された各住戸の玄関以外の部分（例えばベランダに面した窓など）に設けられた防犯センサである。なお、図１には増設機を１台、住情盤Ｊ２に接続した場合を例示しているが、複数接続するようにしても良い。また他の住情盤Ｊ１，Ｊｎにも１又は複数の増設機を接続することができる。
【００１１】
また、図１の住情盤Ｊ２には図示しないＣＰＵ及びメモリが備えられており、ＣＰＵはメモリに格納されているプログラムにより各種の動作処理を行う。図１のＭ１は増設機呼出手段、Ｍ２は増設機呼出手段に設けられた停止手段で、このメモリに格納されている所定のプログラムとＣＰＵによって、増設機呼出手段Ｍ１、停止手段Ｍ２、第１のタイマ、第２のタイマがそれぞれ実現される。この第１のタイマは、後述のハンドセットが取り上げられてからの時間を計測し、増設機ＪＢ呼び出しのための取り上げか自住戸以外への連絡のための取り上げかを判別するために使用され、予め所定時間（例えば３秒）に設定されている。第２のタイマは、増設機ＪＢを呼び出してからの時間を計測し、増設機ＪＢへの呼出時間を制限するために使用され、予め所定時間（例えば４０秒）に設定されている。なお、図１には住情盤Ｊに、上記増設機呼出手段Ｍ１、停止手段Ｍ２を設けた場合を例示しているが、本発明において防犯機能は必須のものではないため、住情盤Ｊをインターホン機能を備えた住戸機に代え、そして該住戸機に増設機呼出手段Ｍ１、停止手段Ｍ２、第１のタイマ、第２のタイマを設けるようにしても良い。
【００１２】
また、同様に図１の増設機ＪＢ２には図示しないＣＰＵ及びメモリが備えられており、ＣＰＵはメモリに格納されているプログラムにより各種の動作処理を行う。図１のＭ１１は管理人室呼出手段、Ｍ１２は住戸機呼出手段で、このメモリに格納されている所定のプログラムとＣＰＵによって、管理人室呼出手段Ｍ１１、住戸機呼出手段Ｍ１２がそれぞれ実現される。
【００１３】
図２において、ＨＳはインターホンのハンドセット（送受話器）、ＳＰＫはインタホンの呼出音、管理室からの放送、警報音などを流すスピーカ、ＭＮは集合玄関機ＥＰ１〜ＥＰｋの図示しないテレビカメラから送られてくる訪問者の映像を映すＣＲＴあるいはＬＣＤ等のモニタテレビである。
また、ＬＰ１〜ＬＰ６は各種表示灯で、例えば、ＬＰ１は電源灯、ＬＰ２は玄関機ＥＰ１〜ＥＰｋからの呼出であることを示すロビー灯、ＬＰ３はドアホンからの呼出であることを示すドアホン灯、ＬＰ４は管理室からの呼出であることを示す管理室灯、ＬＰ５は自住戸の増設機ＪＢ２からの呼出であることを示す室内灯、ＬＰ６は防犯警戒中であることを示す警戒中灯である。
【００１４】
また図２で、ＳＷ１〜ＳＷ６は各種スイッチ（非ロック式押しボタンスイッチ）で、例えば、ＳＷ１は、在宅防犯モード（在宅モード）または外出防犯モード（外出モード）のいずれかを選択して設定する選択設定スイッチと、各防犯モードの解除スイッチを兼ねた防犯スイッチ、ＳＷ２は管理人呼出スイッチ、ＳＷ３は音響停止スイッチ、ＳＷ４は例えば火災、ガス漏れ等の事故の復旧スイッチ、ＳＷ５は非常通報スイッチ、ＳＷ６は集合玄関の自動ドアを解錠するための解錠スイッチである。
【００１５】
また図２では、各防犯センサＳＥ１〜ＳＥ２の一例として、監視線ＬＳ２に直列に設けられたリードスイッチＬＳＷと、各住戸のドアや窓に取り付けるリードスイッチＬＳＷのオンオフ用の磁石ＭＧを図示している。このセンサＳＥ１〜ＳＥ２はドアや窓が戸締まりされているとリードスイッチＬＳＷが磁石ＭＧによりオンする。なお、センサとしては他の形式のものを用いても良い。
【００１６】
また、増設機ＪＢには、図示を省略しているが、住情盤と同様のハンドセット（送話器）ＨＳ、インターホンの呼出音、管理室からの放送、警報音などを流すスピーカＳＰＫ、電源灯ＬＰ１、ロビー灯ＬＰ２、ドアホン灯ＬＰ３、管理室灯ＬＰ４、自住戸の住情盤Ｊの呼出であることを示す室内灯ＬＰ５、管理人呼出スイッチＳＷ２、自己のスピーカＳＰＫからの警報音を停止する音響停止スイッチＳＷ３、非常通報スイッチＳＷ５等が設けられている。
また、必要に応じ、住情盤ＪのモニタテレビＭＮから分配される映像信号で写るモニタテレビを設けても良い。
【００１７】
次に、住情盤Ｊのインターホン機能の動作を集合玄関機ＥＰとの間の例で説明する。
訪問者が例えば集合玄関機ＥＰ１の図示しないテンキーを操作して訪問すべき部屋番号例えば１０２を入力し、次に図示しない呼出スイッチを押すと、集合玄関機ＥＰ１から制御線Ｌ１１を介して通話制御装置ＴＣに部屋コードと呼出コードからなる呼出信号が送出される。通話制御装置ＴＣは集合玄関機ＥＰ１から呼出信号を受信すると、空いている通話線、映像線を調べ、第２通話線と第２映像線とが使用中であれば、呼出信号と第１通話線Ｌ２２及び第１映像線Ｌ４２の通話・映像線指定命令を制御線Ｌ１２に送出すると共に、第１映像線Ｌ４１の映像線指定命令を制御線Ｌ１１を介して集合玄関機ＥＰ１に送出する。また、映像制御装置ＶＣに映像線Ｌ４１とＬ４２を接続する命令を送出する。これにより、集合玄関機ＥＰ１では、図示しないテレビカメラを起動すると共に、第１映像線Ｌ４１を図示しない映像用接続スイッチで接続し、第１映像線Ｌ４１に訪問者の映像信号を送出する。
【００１８】
また、１０２号室の住情盤Ｊ２は、制御線Ｌ１２を通じ受信した呼出信号と第１通話線Ｌ２２および第１映像線Ｌ４２の通話・映像線指定命令により、図示しない通話用と映像用の各接続スイッチを制御して第１通話線Ｌ２２及び第１映像線Ｌ４２をそれぞれ接続する。また、スピーカＳＰＫから呼出音を発し、ロビー灯ＬＰ２を点灯し、モニタテレビＭＮを起動して第１映像線Ｌ４２により送られてくる映像信号による映像を放映する。
【００１９】
住情盤Ｊ２でハンドセットＨＳが取り上げられると、ハンドセットＨＳにより押下されていた住情盤Ｊ２の図示しないフックが開放され、住情盤Ｊ２から通話制御装置ＴＣに制御線Ｌ１２を介してフックオフ信号が送出される。通話制御装置ＴＣは住情盤Ｊ２からフックオフ信号を受信すると、集合玄関機ＥＰ１に対し第１通話線Ｌ２１の通話線指定命令を送出し、この命令により集合玄関機ＥＰ１は図示しない通話用接続スイッチを制御して第１通話線Ｌ２１を接続する。これにより集合玄関機ＥＰ１と住情盤Ｊ２との間の通話路が形成され、訪問者と１０２号室の居住者との間で通話が行われる。
集合玄関に入館用の自動ドアがある場合には、住情盤Ｊ２の解錠スイッチＳＷ６を操作すると制御線Ｌ１２、Ｌ１１を介して集合玄関機ＥＰ１の電気錠に解錠信号が送られ、自動ドアが開放される。
【００２０】
また、通話が終了して住情盤Ｊ２のハンドセットＨＳを元に戻すと、住情盤Ｊ２から制御線Ｌ１２を介して通話終了信号が通話制御装置ＴＣに送られ、該通話制御装置ＴＣは制御線Ｌ１１とＬ１２並びに映像制御装置ＶＣに終了命令を送出する。これにより、集合玄関機ＥＰ１はテレビカメラをオフすると共に第１通話線Ｌ２１と第１映像線Ｌ４１の各接続スイッチを開放し、住情盤Ｊ２はモニタテレビＭＮをオフすると共に第１通話線Ｌ２２と第１映像線Ｌ４２の各接続スイッチを開放し、映像制御装置ＶＣは第１通話線Ｌ２１と第１映像線Ｌ４１の接続を解放する。この結果第１通話線と第１映像線とは解放される。
【００２１】
次に、住情盤Ｊのインターホン機能の動作を管理人室機ＳＭとの間の例で説明する。なお、ここでは、住情盤Ｊを呼出するまでの動作について説明する。
また、管理人が例えば管理人室機ＳＭ１の図示しないテンキーを操作して部屋番号例えば１０２を入力し、次に図示しない呼出スイッチを押すと、管理人室機ＳＭ１から制御線Ｌ１３を介して通話制御装置ＴＣに部屋コードと呼出コードからなる呼出信号が送出される。通話制御装置ＴＣは管理人室機ＳＭ１から呼出信号を受信すると、空いている通話線を調べ、第２通話線が使用中であれば、呼出信号と第１通話線Ｌ２２の通話指定命令を制御線Ｌ１２に送出する。
【００２２】
また、１０２号室の住情盤Ｊ２は、制御線Ｌ１２を通じ受信した呼出信号と第１通話線Ｌ２２の通話指定命令により、図示しない接続スイッチを制御して第１通話線Ｌ２２を接続する。また、スピーカＳＰＫから呼出音を発し、管理室灯ＬＰ４を点灯する。
【００２３】
次に、住情盤Ｊのインターホン機能の動作をドアホンＤＰとの間の例で説明する。なお、ここでは、住情盤Ｊを呼出するまでの動作について説明する。
また、訪問者が例えば１０２号室の玄関外に設けられたドアホンＤＰ２の図示しない呼出スイッチを押すと、ドアホンＤＰ２から図示しない制御線を介して呼出コードからなる呼出信号が送出される。１０２号室の住情盤Ｊ２は、制御線を通じ受信した呼出信号により、図示しないスイッチを制御して図示しない通話線を接続する。また、スピーカＳＰＫから呼出音を発し、ドアホン灯ＬＰ３を点灯する。
【００２４】
以上に説明したように、住情盤Ｊは、他の装置（集合玄関機ＥＰ、管理人室機ＳＭ、ドアホンＤＰ又は増設機ＪＢ）から呼出されている場合（なお、増設機ＪＢからの呼び出しについては後述する）、該当の装置からの呼出信号を受信している。
【００２５】
ここで、ハンドセットＨＳの取り上げが行われる場合について整理すると、▲１▼上記したように他の装置からの呼び出しに対する通話のため、▲２▼管理人室機ＳＭあるいは自住戸の別の室に設けた増設機ＪＢに連絡を行いたいためのいずれかである。
【００２６】
次に本実施の形態の動作を図３を参照しながら説明する。
住情盤Ｊは、ハンドセットＨＳが取り上げられると（Ｓ１）、集合玄関機ＥＰ、管理人機ＳＭ、ドアホンＤＰ又は増設機ＪＢから呼出信号を受信しているか否か判別する（Ｓ２）。
【００２７】
呼出信号を受信している場合、呼出信号対応処理を行う（Ｓ３）。例えば集合玄関機ＥＰ１から呼出信号を受信している場合（このときはスピーカＳＰＫから呼出音が流れると共にロビー灯ＬＰ２が点灯もしくは点滅している）には、集合玄関機ＥＰ１との通話処理が行われ（Ｓ３）、管理人室機ＳＭ１から呼出信号を受信している場合（このときはスピーカＳＰＫから呼出音が流れると共に管理室灯ＬＰ４が点灯もしくは点滅している）には、管理人室機ＳＭ１との通話処理が行われ（Ｓ３）、ドアホンＤＰ２から呼出信号を受信している場合（このときはスピーカＳＰＫから呼出音が流れると共にドアホン灯ＬＰ３が点灯もしくは点滅している）には、ドアホンＤＰ２との通話処理が行われる。
【００２８】
呼出信号を受信していない場合にはハンドセット取上処理が行われる。すなわち、図４に示すように、まず第１のタイマ（例えば３秒）をオンし（Ｓ５）、そして、この第１タイマのオン中に、自住戸以外の呼出操作、本実施の形態の場合には管理人呼出スイッチＳＷ２が操作された場合には（Ｓ６）、管理人室機ＳＭの呼出処理が行われる（Ｓ７）。
【００２９】
一方、自住戸以外への呼出操作が行われずに（Ｓ６）、第１タイマがタイムアップすると（Ｓ８）、増設機呼出と判断し、呼出信号を生成して該呼出信号を増設機ＪＢへ送信する等の呼出処理が行われると共に（Ｓ９）、増設機ＪＢへの呼出時間を制限する第２タイマ（例えば４０秒）をオンする（Ｓ１０）。この第２タイマのオン中に応答があると（Ｓ１１）、すなわち増設機ＪＢのハンドセットＨＳが取り上げられると、通話状態になり、同時に第２タイマはクリアされる。一方、応答がなく、第２タイマがタイムアップすると（Ｓ１２）、呼出を停止し（Ｓ１３）、処理を終了する。なお、この図３及び図４の処理は住情盤ＪのＣＰＵによりなされる。
【００３０】
なお、増設機ＪＢから住情盤Ｊを呼び出す場合も同様で、呼出状態の時（例えば集合玄関機ＥＰからの呼出により住情盤Ｊで呼出音が流れロビー灯ＬＰ２が点灯しているときには、増設機ＪＢ側でも呼出音が流れロビー灯ＬＰ２が点灯している）にハンドセットＨＳが取り上げられると、呼出元との通話が行われる。呼出状態でないときにハンドセットが取り上げられた場合には、住情盤Ｊと同様に、第１タイマをオンし、オンしている間に管理人呼出スイッチＳＷ２が操作されると、管理人室機ＳＭへの呼出が行われ、呼出操作が行われることなく第１タイマがタイムアップすると、自住戸の住情盤Ｊへの呼出と判断し、住情盤Ｊの呼出を行うと共に第２タイマをオンし、この第２タイマのオン中に応答があると、増設機ＪＢと通話状態になり、応答がなく第２タイマがタイムアップすると、呼出を停止し、処理を終了する。なお、上述のこれらの処理は増設機ＪＢのＣＰＵによりなされる。
【００３１】
なお、住情盤Ｊから増設機ＪＢを呼出中、増設機ＪＢから住情盤Ｊを呼出中、または住情盤Ｊと増設機ＪＢが通話中に、集合玄関機ＥＰ、管理人室機ＳＭ又はドアホンＤＰからの呼び出しがあった場合、ハンドセットＨＳが取り上げられている装置（住情盤Ｊ、増設機ＪＢ、又はその両方）においては、ハンドセットＨＳから呼出音が発し、取り上げられていない装置ではスピーカＳＰＫから呼出音が発し、そして、両装置（住情盤Ｊ及び増設機ＪＢ）の該当するロビー灯ＬＰ２、ドアホン灯ＬＰ３又は管理室灯ＬＰ４が点灯する。そして、この場合の呼び出しに対し、ハンドセットＨＳが取り上げられている装置においてはハンドセットＨＳのフックを操作すること、取り上げられていない装置においてはハンドセットＨＳを取り上げることにより応答することができる。
【００３２】
【発明の効果】
以上の説明から明らかなように、本発明の集合住宅用インターホンによれば、次の効果を得ることができる。
【００３３】
（１）住情盤は、他の装置（集合玄関機、管理人室機、ドアホンまたは増設機）からの呼出がない状態でハンドセットが取り上げられ、他の操作が行われることなく取り上げ状態が所定時間継続したとき、増設機を呼び出すための信号を生成することにより増設機を呼び出すようにし、さらに、増設機は、他の装置（集合玄関機、管理人室機、ドアホン又は住情盤）からの呼出がない状態でハンドセットが取り上げられ、他の操作が行われることなく取り上げ状態が所定時間継続したとき、住情盤の呼び出しと判断して住情盤を呼び出すようにしたため、住情盤から増設機を呼び出す際に、又は増設機から住情盤を呼び出す際に、従来のように増設機を呼び出すための呼出スイッチを設ける必要がなくなり、また、呼出操作を行わずとも同じ操作方法により通話先を呼び出すことができるため、使い勝手の良い集合住宅用インターホン装置を得ることができる。
【００３５】
（２）また、増設機は、住情盤と同様に管理人室呼出手段を有するようにしたので、住情盤からだけでなく増設機からも管理人室を呼び出すことができ、便利な集合住宅用インターホン装置を得ることができる。
【図面の簡単な説明】
【図１】本発明の一実施の形態に係る防犯設備及びインターホン設備の系統図である。
【図２】図１の住宅情報盤の正面概略図である。
【図３】本発明の一実施の形態の処理の流れを示すフローチャートである。
【図４】図２のハンドセット取上処理の流れを示すフローチャートである。
【符号の説明】
Ｊ１〜Ｊｎ  住情盤（住戸機）
ＪＢ２  住戸増設機
Ｍ１  増設機呼出手段
Ｍ２  停止手段
Ｍ１１  管理人室呼出手段
Ｍ１２  住戸機呼出手段
ＥＰ１〜ＥＰｋ  集合玄関機
ＳＭ１，ＳＭ２  管理人室機
ＨＳ  ハンドセット（送受話器）
【図１】
0003671325.tif 000002
【図２】
0003671325.tif 000003
【図３】
0003671325.tif 000004
【図４】
0003671325.tif 000005